(57)【要約】【課題】安価で、かつ投影機による投射角度が限定されない両面画像認識スクリーンを提供する。【解決手段】投影機５により投射された画像を映し出す両面画像認識スクリーン１において、透明板２の一方面にハーフミラー３を設け、このハーフミラー３に拡散フィルム４を設け、拡散フィルム４側を投影機５による画像投射面側６として配設する。【選択図】      図１
0003102560.tif 000002
【実用新案登録請求の範囲】
【請求項１】
投影機により投射された画像を映し出す両面画像認識スクリーンにおいて、透明板の一方面にハーフミラーを設け、このハーフミラーに拡散フィルムを設け、前記拡散フィルム側を前記投影機による画像投射面側として配設することを特徴とする両面画像認識スクリーン。
【請求項２】
投影機により投射された画像を映し出す両面画像認識スクリーンにおいて、透明板の一方面に拡散フィルムを設け、この拡散フィルムにハーフミラーを設け、前記透明板側を前記投影機による画像投射面側として配設することを特徴とする両面画像認識スクリーン。
【請求項３】
投影機により投射された画像を映し出す両面画像認識スクリーンにおいて、透明板の両面にそれぞれハーフミラー及び拡散フィルムを設け、前記拡散フィルム側を前記投影機による画像投射面側として配設することを特徴とする両面画像認識スクリーン。
【請求項４】
前記ハーフミラーの前記画像投射面と反対面側は、前記投影機により画像が投射されない時は鏡として機能することを特徴とする請求項１、２又は３記載の両面画像認識スクリーン。
【考案の詳細な説明】
【技術分野】
【０００１】
本考案は両面画像認識スクリーンに関する。
【背景技術】
【０００２】
従来、スクリーン画像を両側から見ることができる両面画像認識スクリーンとして、例えば特許文献１が挙げられる。この構造は、ホログラムスクリーンにおいて、投影機による画像投射面に対する反対面にハーフミラーを設けている。
【０００３】
【特許文献１】特開２００１−３０５６６０号公報
【考案の開示】
【考案が解決しようとする課題】
【０００４】
上記従来技術は、特殊な構造よりなるホログラムスクリーンを使用するので高価となると共に、スクリーンに対する垂直線に対して３５〜４０度の範囲の角度で投影機により投射する必要があった。
【０００５】
本考案の第１の課題は、安価で、かつ投影機による投射角度が限定されない両面画像認識スクリーンを提供することにある。
【０００６】
本考案の第２の課題は、画像が投射されていない時はその画像面が鏡として機能する両面画像認識スクリーンを提供することにある。
【課題を解決するための手段】
【０００７】
上記第１の課題を解決するための本考案の請求項１は、投影機により投射された画像を映し出す両面画像認識スクリーンにおいて、透明板の一方面にハーフミラーを設け、このハーフミラーに拡散フィルムを設け、前記拡散フィルム側を前記投影機による画像投射面側として配設することを特徴とする。
【０００８】
上記第１の課題を解決するための本考案の請求項２は、投影機により投射された画像を映し出す両面画像認識スクリーンにおいて、透明板の一方面に拡散フィルムを設け、この拡散フィルムにハーフミラーを設け、前記透明板側を前記投影機による画像投射面側として配設することを特徴とする。
【０００９】
上記第１の課題を解決するための本考案の請求項３は、投影機により投射された画像を映し出す両面画像認識スクリーンにおいて、透明板の両面にそれぞれハーフミラー及び拡散フィルムを設け、前記拡散フィルム側を前記投影機による画像投射面側として配設することを特徴とする。
【００１０】
上記第１及び第２の課題を解決するための本考案の請求項４は、上記請求項１、２又は２において、前記ハーフミラーの前記画像投射面と反対面側は、前記投影機により画像が投射されない時は鏡として機能することを特徴とする。
【考案の効果】
【００１１】
透明板、ハーフミラー及び拡散フィルムよりなるので、安価な両面画像認識スクリーンが得られる。また拡散フィルムを設けたので、投影機による投射角度が制限されなく、任意の角度でよい。
【考案を実施するための最良の形態】
【００１２】
本考案の両面画像認識スクリーンの第１の実施の形態を図１により説明する。両面画像認識スクリーン１は、ガラス、樹脂等よりなる透明板２と、この透明板２の一方面に設けられたハーフミラー３と、このハーフミラー３に設けられた拡散フィルム４とからなっている。このような構成よりなる両面画像認識スクリーン１は、拡散フィルム４側をプロジェクタ等の投影機５による画像投射面側６として使用する。図中、７は画像投射面側６に対する反対面側、８は投影機５の投射中心線を示す。
【００１３】
投影機５より両面画像認識スクリーン１に画像を投射すると、画像投射面側６に対する反対面側７におては、拡散フィルム４により映し出されてハーフミラー３より透過した画像が見える。画像投射面側６においては、拡散フィルム４の画像がハーフミラーで反射して映し出される。投影機５より画像を投射しない時は、画像投射面側６は鏡として見える。
【００１４】
このように、両側より画像を見ることができるので、例えば店の道路側の窓ガラス部分に透明板２側を道路側として両面画像認識スクリーン１を設置し、店内に設けた投影機５より画像を投射すると、通行人はスクリーン画像を見ることができ、また店内の人も通行人と同じスクリーン画像を見ることができる。また両面画像認識スクリーン１を空間の中央部に設置することにより、どの位置からでも画像を見ることができるようになる。
【００１５】
本実施の形態は、透明板２、ハーフミラー３及び拡散フィルム４よりなるので、安価な両面画像認識スクリーン１が得られる。また拡散フィルム４を設けたので、投影機５による投射角度が制限されなく、任意の角度でよい。
【００１６】
本考案の両面画像認識スクリーンの第２の実施の形態を図２により説明する。なお、図１と同じ又は相当部剤には同一符号を付し、その詳細な説明は省略する。本実施の形態は、透明板２の一方面に拡散フィルム４を設け、拡散フィルム４にハーフミラー３を設けている。そして、透明板２側を投影機５による画像投射面側６として使用する。
【００１７】
本実施の形態も前記実施の形態と同様に、投影機５より両面画像認識スクリーン１に画像を投射すると、画像投射面側６に対する反対面側７におては、拡散フィルム４により映し出されてハーフミラー３より透過した画像が見える。画像投射面側６においては、拡散フィルム４の画像がハーフミラーで反射して映し出される。従って、本実施の形態においても前記実施の形態と同様の効果が得られる。
【００１８】
本考案の両面画像認識スクリーンの第３の実施の形態を図３により説明する。本実施の形態は、透明板２の両面にそれぞれハーフミラー３及び拡散フィルム４が設けられている。そして、拡散フィルム４側を投影機５による画像投射面側６として使用する。
【００１９】
本実施の形態も前記各実施の形態と同様に、投影機５より両面画像認識スクリーン１に画像を投射すると、画像投射面側６に対する反対面側７におては、拡散フィルム４により映し出されてハーフミラー３より透過した画像が見える。画像投射面側６においては、拡散フィルム４の画像がハーフミラーで反射して映し出される。従って、本実施の形態においても前記各実施の形態と同様の効果が得られる。
【図面の簡単な説明】
【００２０】
【図１】本考案の両面画像認識スクリーンの第１の実施の形態を示す側面説明図である。
【図２】本考案の両面画像認識スクリーンの第２の実施の形態を示す側面説明図である。
【図３】本考案の両面画像認識スクリーンの第３の実施の形態を示す側面説明図である。
【符号の説明】
【００２１】
１    両面画像認識スクリーン
２    透明板
３    ハーフミラー
４    拡散フィルム
５    投影機
６    画像投射面側
７    反対面側
８    投影機の投射中心線
【図１】
0003102560.tif 000003
【図２】
0003102560.tif 000004
【図３】
0003102560.tif 000005